(57)【要約】【課題】２重製氷を防止すると共に、除氷時間を短縮する。【解決手段】製氷運転に際し、蒸発管１４に冷媒を供給すると共に、循環ポンプ４０を作動して製氷水散水管３４を介して製氷板１２の製氷面３２に製氷水２４を供給する。製氷運転が完了すると、循環ポンプ４０を停止すると共に、ホットガス弁ＨＶを開放して蒸発管１４にホットガスを供給する。また給水バルブ４６を開放し、製氷板１２の裏面２８に除氷水を供給する。除氷用サーモ５２が製氷水供給温度を検知すると、循環ポンプ４０を作動して製氷水２４の製氷面３２への供給を開始し、製氷面３２に残留している氷１６を製氷水２４により速やかに剥離落下させる。【選択図】図１
2006090691.tif 000002
【特許請求の範囲】
【請求項１】
製氷運転に際して製氷板(12)の表面(32)に製氷水供給手段(40)により製氷水(24)を供給すると共に、その裏面(28)に蛇行配置された蒸発器(14)に冷媒を供給し、製氷板(12)の表面(32)に氷(16)が生成されたことを検知して除氷運転に移行したときに、製氷板(12)の表面(32)への製氷水(24)の供給を停止すると共に、蒸発器(14)への冷媒の供給を停止した後、製氷板(12)の裏面(28)に除氷水(30)を供給して氷(16)の製氷板(12)からの融解剥離を促進させる流下式製氷機の運転方法において、
前記除氷運転の終了前に、前記製氷板(12)の表面(32)に製氷水(24)を供給するように前記製氷水供給手段(40)を制御手段(44)で制御し、該製氷水(24)により表面(32)に残留している氷(16)を剥離するようにした
ことを特徴とする流下式製氷機の運転方法。
【請求項２】
除氷運転の完了を検知する除氷完了検知手段(52)が除氷完了を検知する前に、予め設定された製氷水供給開始条件を製氷水供給開始検知手段(52)が検知したときに、前記制御手段(44)が製氷水供給手段(40)を制御して製氷水(24)の供給を開始するようにした請求項１記載の流下式製氷機の運転方法。
【請求項３】
前記除氷運転の終了前に前記表面(32)に製氷水(24)を供給する場合は、前記制御手段(44)が製氷水供給手段(40)を制御して製氷水(24)の供給を断続的に行なうようにした請求項１または２記載の流下式製氷機の運転方法。
【請求項４】
前記除氷運転の終了前に前記製氷板(12)の表面(32)への製氷水(24)の供給を開始したときに、前記除氷水(30)を供給する除氷水供給手段(46)を前記制御手段(44)で制御して、製氷板(12)の裏面(28)への除氷水(30)の供給を停止するようにした請求項１〜３の何れかに記載の流下式製氷機の運転方法。
【発明の詳細な説明】
【技術分野】
【０００１】
この発明は、流下式製氷機の運転方法に関するものであり、更に詳細には、製氷運転に際して製氷板の表面に製氷水を供給すると共に、製氷板裏面に配置した蒸発器に冷媒を供給して製氷板の表面に氷を生成し、除氷運転に際して製氷板の裏面に除氷水を供給して氷の製氷板からの融解剥離を促進させる流下式製氷機の運転方法に関するものである。
【背景技術】
【０００２】
氷を連続的に製造する自動製氷機として、垂直に立設した製氷板の裏面に冷凍系から導出した蒸発管を配設し、この蒸発管に循環供給される冷媒により冷却される前記製氷板の表面(製氷面)に製氷水を散布供給して氷を形成し、得られた氷を剥離して落下放出させる流下式製氷機が知られている。この製氷機は、製氷板での製氷完了を検知して製氷運転から除氷運転に移行すると、前記製氷水の散布供給を停止し、圧縮機から吐出されるホットガスを前記蒸発管に供給すると共に、外部水道源から常温の水を製氷板の裏面に除氷水として散布供給して、氷との氷結面の融解を促進させるようになっている。なお、製氷板を流下した除氷水は、次回製氷運転時の製氷水として使用される。
【０００３】
また、前記製氷板に配設されている蒸発管の出口側に、除氷運転により氷が製氷板から融解剥離することで蒸発管に循環しているホットガスが一挙に温度上昇したことを検知する除氷検知サーモが配設される。そして、この除氷検知サーモの除氷完了温度の検知により、前記ホットガスおよび除氷水の供給を停止して除氷運転を終了するよう構成されている。
【０００４】
図６は、従来の流下式製氷機における製氷および除氷の運転サイクルを示したものである。製氷運転においては、前記蒸発管に冷媒が供給(ＯＮ)されると共に、製氷板の製氷面に製氷水が散布供給(ＯＮ)される。そして、製氷が完了すると、前記冷媒および製氷水の供給が停止(ＯＦＦ)されて製氷運転が終了すると共に、ホットガスおよび除氷水が夫々供給(ＯＮ)されて除氷運転が開始される。更に、前記除氷検知サーモが除氷完了を検知し、除氷運転を終了して再び製氷運転に移行すると、ホットガスおよび除氷水の供給を停止(ＯＦＦ)すると共に、冷媒および製氷水の供給を再開させる。すなわち、図６の破線で囲った部分に示すように、除氷運転から製氷運転に移行する際には、除氷水およびホットガスの停止と、製氷水および冷媒の供給とが同時に行なわれるようになっている。
【特許文献１】特開平１０−１７０１１３号公報
【発明の開示】
【発明が解決しようとする課題】
【０００５】
従来の流下式製氷機においては、前述したように、除氷検知サーモが除氷完了温度を検知することにより除氷運転から製氷運転に移行するが、その検知温度の設定は経験的に決定されるものであり、該サーモが除氷完了温度を検知した時点においても前記製氷面に氷が残留して、完全に製氷板から除氷されていない場合がある。このように製氷板に氷が残留したまま除氷運転が終了して製氷運転に移行すると、ホットガスおよび除氷水の供給が停止されると同時に、製氷水および冷媒が供給されるので、残留している氷を核として重複して氷が生成されてしまう。すなわち、従来の流下式製氷機では、製造された氷が除氷されずに残留して再び製氷される、所謂２重製氷が行なわれてしまい、変形した氷が成形されてしまう問題があった。
【０００６】
なお、前記除氷完了温度を高めに設定しておけば、完全な除氷を達成することは可能であるが、この場合は除氷運転が長くなって日産製氷能力が低下すると共に、除氷水の消費水量が嵩む難点が指摘される。
【０００７】
本発明は、前述した従来の技術に内在している前記課題に鑑み、これを好適に解決するべく提案されたものであって、２重製氷を防止すると共に、除氷時間を短縮し得るようにした流下式製氷機の運転方法を提供することを目的とする。
【課題を解決するための手段】
【０００８】
前記課題を克服し、所期の目的を達成するため、本発明に係る流下式製氷機の運転方法は、
製氷運転に際して製氷板の表面に製氷水供給手段により製氷水を供給すると共に、その裏面に蛇行配置された蒸発器に冷媒を供給し、製氷板の表面に氷が生成されたことを検知して除氷運転に移行したときに、製氷板の表面への製氷水の供給を停止すると共に、蒸発器への冷媒の供給を停止した後、製氷板の裏面に除氷水を供給して氷の製氷板からの融解剥離を促進させる流下式製氷機の運転方法において、
前記除氷運転の終了前に、前記製氷板の表面に製氷水を供給するように前記製氷水供給手段を制御手段で制御し、該製氷水により表面に残留している氷を剥離するようにしたことを特徴とする。
【発明の効果】
【０００９】
本発明に係る流下式製氷機の運転方法によれば、除氷運転終了前に、製氷水を製氷板の表面へ供給するようにしたので、該表面上に残留している氷は該製氷水によって確実に剥離され、２重製氷を防止することが可能となり、形状の整った良質な氷を製造することができると共に、除氷時間の短縮を図ることが可能となる。
【００１０】
また、除氷運転時に製氷板の表面へ製氷水を断続的に供給するようにした場合には、連続供給の場合に比べて製氷水による氷の融解が抑えられるので、除氷運転中の比較的早い段階で製氷水の供給を行なうことができる。従って、製氷水を除氷運転時に連続供給する場合よりも更に除氷効率が上昇するので、除氷時間の短縮が可能となって製氷能力を向上し得る。更に、除氷運転時における製氷水の供給を断続的にすることで、該製氷水が貯氷庫内へ飛散する量を少なくすることができる。
【００１１】
また、除氷運転終了前に製氷板の表面に製氷水の供給を開始したときに、除氷水の裏面への供給を停止することで、除氷運転において使用する除氷水の量を従来に比べて少なくし得る。
【発明を実施するための最良の形態】
【００１２】
次に、本発明に係る流下式製氷機の運転方法につき、好適な実施例を挙げて、添付図面を参照して以下に説明する。
【実施例１】
【００１３】
図１は、実施例１に係る流下式製氷機の運転方法が好適に実施される流下式製氷機１０の概略構成を示すものであって、所定間隔離間して対向配置した垂直な一対の製氷板１２,１２の対向面間に、冷凍系から導出して横方向に蛇行する蒸発管(蒸発器)１４が密着固定されて製氷部Ｍが構成されている。製氷部Ｍの直下には、除氷運転により各製氷板１２から剥離されて落下する氷１６を、下方に配設した貯氷庫１８に案内する案内板２０が対応して夫々傾斜配置されている。また、各案内板２０には複数の通孔２２,２２が穿設されており、製氷運転の際に製氷板１２の表面(製氷面)３２に供給された製氷水２４の未氷結分は、該通孔２２,２２を介して下方に位置する製氷水タンク２６に回収されるようにしてある。また、前記製氷水タンク２６には、除氷運転に際して製氷板１２の裏面２８に供給された除氷水３０を回収貯留し得るよう構成される。
【００１４】
前記製氷部Ｍの上方には、製氷水２４を各製氷板１２の製氷面３２に供給可能な製氷水散水管３４および除氷水３０を前記裏面２８に供給可能な除氷水散水管３６を夫々有した２重管３８が配設されている。前記製氷水散水管３４は、製氷機内に配設された製氷水供給手段としての循環ポンプ４０を介して前記製氷水タンク２６から導出した製氷水供給管４２に接続されて、製氷運転時に前記製氷水タンク２６からポンプ圧送される製氷水２４を、各製氷板１２の氷結温度にまで冷却されている製氷面３２に散布流下させ、該製氷面３２に半球状の氷を生成するよう構成される。また前記循環ポンプ４０は、流下式製氷機１０の製氷運転および除氷運転を切換制御可能な制御手段４４に接続されて運転制御され、製氷運転時および除氷運転時における製氷水２４の供給・停止が切換えられるよう設定してある。
【００１５】
前記２重管３８の内部に設けられる除氷水散水管３６は、外部水道源(図示せず)に接続されて、除氷水供給手段としての給水バルブ４６が介挿された除氷水供給管４８と連通接続され、除氷運転時に、両製氷板１２,１２の裏面２８,２８に常温の水(除氷水３０)を散布供給して、その昇温による除氷促進を行なうよう構成される。すなわち、除氷運転に際して、前記蒸発管１４にホットガスを循環させて両製氷板１２,１２を加熱し、各製氷面３２と氷１６との氷結面を融解させると共に、除氷水散水管３６から除氷水３０を前記裏面２８,２８に流下させることにより、その融解を促進するようになっている。なお、前述した如く、前記製氷板１２の裏面２８を流下した除氷水３０は、製氷水２４と同様に製氷水タンク２６に回収され、これが次回の製氷水２４として使用される。また、除氷水３０の除氷水散水管３６への供給・停止を切換え可能な給水バルブ４６は、前記制御手段４４に接続されて作動制御され、除氷運転時における除氷水３０の供給・停止が切換えられるよう設定してある。
【００１６】
前記蒸発管１４の出口側に、前記制御手段４４に接続された除氷完了検知手段としての除氷用サーモ５２が密着的に配設され、蒸発管１４を流通するホットガス(高温冷媒)の温度を検知するよう構成される。そして、除氷運転完了時において製氷板１２,１２から氷１６が剥離することにより急激に温度上昇するホットガスの温度が、予め設定された除氷完了温度に達したことを除氷用サーモ５２が検知したときに、前記制御手段４４が除氷運転を終了して製氷運転へ移行するよう設定されている。
【００１７】
また前記制御手段４４は、除氷運転中において前記除氷完了温度よりも約１０℃〜２０℃程度低温の製氷水供給温度(製氷水供給開始条件)を除氷用サーモ５２が検知した際に、前記循環ポンプ４０を制御して、製氷水散水管３４から製氷水２４を製氷面３２に供給するようになっている。すなわち、除氷が完了する前に製氷面３２に製氷水２４を供給して、該製氷面３２に残留している氷１６の融解剥離を促進するようにしてある。なお、前記除氷完了温度および製氷水供給温度については、流下式製氷機１０の製氷能力や設置場所等によって、適宜好適な値に設定すればよい。但し、製氷水供給温度については、除氷完了温度よりも大幅に低く設定すると、氷１６と製氷板１２との融解が進行していない状態で製氷水２４を供給することとなり、除氷完了までに要する製氷水２４の供給量が増大してしまうので、好ましくは、該除氷完了温度よりも１０℃程度低く設定するのがよい。実施例１では、除氷完了検知手段としての除氷用サーモ５２が、製氷水供給開始検知手段を兼ねている。
【００１８】
実施例１の流下式製氷機１０における冷却機構については、従来の製氷機と基本的に同一であって、圧縮機５４で圧縮された気化冷媒が、吐出管６８を経て凝縮器５６で凝縮液化し、ドライヤ５８で脱湿された後キャピラリーチューブ６０で減圧され、蒸発管１４に流入してここで一挙に膨張して蒸発し、製氷板１２,１２と熱交換を行なって、各製氷板１２を氷点下にまで冷却させる。この蒸発管１４で蒸発した気化冷媒と未蒸発の液化冷媒とは、気液混相状態でアキュムレータ６２に流入し、ここで気液分離がなされる。そして気相冷媒は、吸入管６４を経て圧縮機５４に帰還し、液相冷媒は当該アキュムレータ６２内に貯留される。
【００１９】
前記圧縮機５４の吐出管６８からホットガス管６６が分岐され、このホットガス管６６はホットガス弁ＨＶを経て、蒸発管１４の入口側に連通されている。このホットガス弁ＨＶは、除氷運転の際にのみ開放し、製氷運転時は閉成する制御がなされる。すなわち除氷運転においては、前記圧縮機５４から吐出されたホットガスがホットガス管６６を介して蒸発管１４に流入し、製氷板１２,１２との間で熱交換した後に、該蒸発管１４から流出したホットガスは、アキュムレータ６２に流入し、このアキュムレータ６２中に滞留している液相冷媒を加熱して蒸発させ、気相冷媒として吸入管６４から圧縮機５４に再び帰還させるようになっている。
【００２０】
(実施例１の作用)
次に、実施例１に係る流下式製氷機１０の運転方法について説明する。図２のフローチャートに示すように、製氷が完了した際には、前記制御手段４４が前記循環ポンプ４０を停止させて、製氷水散水管３４からの製氷水２４の供給を停止させると共に、前記ホットガス弁ＨＶを開放することで蒸発管１４への冷媒の供給を停止させて、製氷運転を終了する(Ｓ１)。
【００２１】
そして、前記制御手段４４は、前記給水バルブ４６を開放し、除氷水散水管３６から除氷水２４を製氷板１２,１２の裏面２８,２８に供給すると共に、前記ホットガス弁ＨＶの開放により蒸発管１４にホットガスが供給されて、除氷運転が開始される(Ｓ２)。すなわち、図３に示すように、製氷運転から除氷運転へ切換わる際には、冷媒および製氷水２４の供給を停止(ＯＦＦ)すると同時に、ホットガスおよび除氷水の供給を開始(ＯＮ)する。この除氷運転の開始により、製氷面３２に氷結していた氷１６の氷結面は、ホットガスおよび除氷水３０の供給によって融解を始める。
【００２２】
除氷運転により氷１６の製氷面３２との氷結面の融解が進行するにつれて、蒸発管１４の出口側でのホットガスの温度は次第に上昇する。そして、除氷運転の開始後、所要時間経過して除氷完了が近づいたところで、前記除氷用サーモ５２が製氷水供給温度を検知する(Ｓ３)。この時、製氷面３２上の氷１６は、該製氷面３２との融解がある程度進行しており、その自重で製氷板１２から剥離落下するものや、未だに氷結面が融解することなく残留しているものもある。前記除氷用サーモ５２が製氷水供給温度を検知すると、前記制御手段４４は、循環ポンプ４０を作動して製氷水２４を製氷水散水管３４へ圧送し、製氷水２４の製氷面３２への供給を開始(ＯＮ)する。更に、前記制御手段４４は給水バルブ４６を閉成し、除氷水散水管３６からの除氷水３０の供給を停止(ＯＦＦ)させる(Ｓ４)。
【００２３】
すなわち、前記製氷板１２との融解がある程度進行した氷１６と製氷板１２との氷結面の融解が、製氷水２４により更に促進されると共に、該製氷水２４の水流によって氷１６は製氷板１２から完全に剥離して、従来問題となっていた２重製氷を防止することができ、半球状の良質な氷１６が得られる。そして、両製氷板１２,１２から全ての氷１６が完全に剥離すると、前記ホットガスの温度が急激に上昇し、前記除氷用サーモ５２は除氷完了温度を検知する(Ｓ５)。このとき前記制御手段４４は前記ホットガス弁ＨＶを閉成し、ホットガスの蒸発管１４への供給を停止(Ｓ６)させて除氷運転を終了させる(Ｓ７)と共に、冷媒を供給して製氷運転を開始させる。
【００２４】
前述したように、除氷用サーモ５２が除氷完了温度を検知する前に、製氷板１２の製氷面３２に製氷水２４を流すことで、その物理的な力によって氷１６を速やかに剥離落下させることができるから、除氷時間を短縮して日産製氷能力を向上し得る。また、図３に示すように、除氷運転が完了する前に除氷水３０の前記裏面２８への供給を停止させているから、使用する除氷水３０の量を少なくすることができる。
【００２５】
なお、実施例１に係る流下式製氷機１０の運転方法では、図３に示すように、除氷完了前に製氷水２４を供給すると同時に、除氷水３０の供給を停止するようにしたが、従来のように、ホットガスの供給を停止して除氷運転が終了する時に、除氷水３０の供給を停止するようにしてもよい。
【実施例２】
【００２６】
次に、実施例２に係る流下式製氷機の運転方法について説明する。なお、実施例２で使用する流下式製氷機の構成は、基本的に実施例１の構成と同じなので、異なる部分についてのみ説明する。すなわち、実施例１では、除氷用サーモ５２が製氷水供給温度を検知した際に、制御手段４４により循環ポンプ４０を制御して製氷水２４を連続的に供給するように設定されていたが、実施例２では、このときに製氷水２４の供給を断続的に行なうように制御手段４４が循環ポンプ４０を制御するよう設定されている。そして、除氷用サーモ５２が除氷完了温度を検知したときに、製氷水２４の断続供給を停止し、通常の製氷運転、すなわち製氷水２４を連続的に供給するように、制御手段４４が循環ポンプ４０を制御するよう設定されている。なお、説明中の「断続的な供給」とは、製氷水２４の供給・停止を周期的または非周期的に繰り返すことを意味しており、製氷水２４の供給・停止を一定の間隔で繰り返す間欠的な供給を含むものである。また、実施例２における製氷水供給温度は、実施例１での製氷水供給温度よりも低い値であり、例えば、除氷完了温度よりも２５℃〜３５℃程度低温に設定してある。
【００２７】
実施例２に係る流下式製氷機の運転方法では、図４のフローチャートに示すように、製氷が完了した際には、前記制御手段４４が前記循環ポンプ４０を停止させて、製氷水散水管３４からの製氷水２４の供給を停止させると共に、前記ホットガス弁ＨＶを開放することで蒸発管１４への冷媒の供給を停止させて、製氷運転を終了する(Ｓ８)。
【００２８】
そして、前記制御手段４４は、前記給水バルブ４６を開放し、除氷水散水管３６から除氷水３０を製氷板１２,１２の裏面２８,２８に供給すると共に、前記ホットガス弁ＨＶの開放により蒸発管１４にホットガスが供給されて、除氷運転が開始される(Ｓ９)。すなわち、図５のタイミングチャートに示すように、製氷運転から除氷運転へ切換わる際には、冷媒および製氷水２４の供給を停止(ＯＦＦ)すると同時に、ホットガスおよび除氷水３０の供給を開始(ＯＮ)する。この除氷運転の開始により、製氷面３２に氷結していた氷１６の氷結面は、ホットガスおよび除氷水３０の供給によって融解を始める。
【００２９】
除氷運転により氷１６の製氷面３２との氷結面の融解が進行するにつれて、蒸発管１４の出口側でのホットガスの温度は次第に上昇する。そして、除氷運転の開始から所要時間経過したところで、前記除氷用サーモ５２が製氷水供給温度を検知する(Ｓ１０)。
【００３０】
前記除氷用サーモ５２が製氷水供給温度を検知すると、前記制御手段４４は、製氷水２４を製氷水散水管３４へ断続的に圧送するよう循環ポンプ４０を制御して、製氷水２４の断続供給を開始する(製氷水断続供給開始：Ｓ１１)。すなわち、実施例２の制御手段４４は、製氷水２４を断続的に供給するようプログラムされており、図５に示すように、製氷水２４の供給・停止を一定間隔で繰り返すよう循環ポンプ４０を作動制御する。具体的には、製氷水供給温度を検知すると、製氷水２４を製氷面３２へ、例えば５秒間供給した後に５秒間停止するというサイクルを繰り返して、製氷水２４の断続供給がなされる。なお、製氷水２４の供給・停止の間隔は、５秒〜１０秒程度が好適であるが、これに限られるものではない。また、製氷水２４の供給・停止を、必ずしも実施例２の如く一定間隔で行なう必要はなく、例えば、製氷水２４の供給時間だけを長く設定したり、その逆であっもよい。更に、前記除氷用サーモ５２が検知する温度に応じて製氷水２４の供給・停止時間を自動的に変更し、除氷の進行状況に合わせた製氷水２４の断続供給を行なうようにしてもよい。
【００３１】
すなわち実施例２の運転方法は、除氷時に製氷水２４を断続的に供給することで、前記製氷板１２との融解がある程度進行した氷１６と製氷板１２との氷結面の融解が更に促進されると共に、該製氷水２４の断続的な水流によって氷１６は製氷板１２から完全に剥離して、従来問題となっていた２重製氷を防止することができ、半球状の良質な氷１６を得ることができる。また、実施例１の連続供給の場合に比べて製氷水２４による氷１６の融解が抑えられるので、除氷運転中の比較的早い段階で製氷水２４の供給を行ない得る。従って、連続供給の場合よりも更に除氷効率が上昇するので、除氷時間の短縮が可能となって製氷能力を更に向上し得る。更に、除氷運転時における製氷水２４の供給を断続的にすることで、該製氷水２４が貯氷庫１８内へ飛散する量を少なくすることができる。
【００３２】
ここで、前記製氷水供給温度については、実施例１と同様に、流下式製氷機１０の製氷能力や設置場所等によって、適宜好適な値に設定すればよい。すなわち、除氷運転時における製氷水２４の断続供給を開始するタイミングは、適宜変更可能である。しかしながら、製氷水供給温度を除氷完了温度よりも大幅に低く設定した場合、氷１６と製氷板１２との融解がほとんど進行していない状態で製氷水２４を供給することとなり、除氷完了までに要する製氷水２４の供給量が増大してしまうので、好ましくは、該除氷完了温度よりも３０℃程度低く設定するのがよい。
【００３３】
除氷が更に進行し、製氷板１２から全ての氷１６が完全に剥離すると、前記ホットガスの温度が急激に上昇し、前記除氷用サーモ５２は除氷完了温度を検知する(Ｓ１２)。このとき前記制御手段４４は、製氷水２４の断続供給を終了させる(Ｓ１３)と共に、該製氷水２４を製氷面３２に連続的に供給する通常運転に切り替える。これと同時に、前記制御手段４４は、ホットガス弁ＨＶを閉成してホットガスの蒸発管１４への供給を停止させると共に、給水バルブ４６を閉成して除氷水３０の供給を停止させて(Ｓ１４)、除氷運転を終了する(Ｓ１５)。
【００３４】
なお、実施例２に係る流下式製氷機１０の運転方法では、図５に示すように、除氷完了時に除氷水３０の供給を停止するようにしたが、実施例１のように製氷水２４の断続供給を開始すると同時に除氷水３０の供給を停止するようにしてもよい。
【００３５】
また、実施例１および２では、除氷完了検知手段と製氷水供給開始検知手段を除氷用サーモで兼用させたが、別々の温度センサ等を用いてもよい。更に、製氷水供給開始検知手段としては、除氷運転が開始されたときからカウントを始めるタイマを採用でき、該タイマに設定された製氷水供給開始時間(製氷水供給開始条件)に至ったときに、製氷水の連続供給または断続供給を開始させるようにすればよい。なお、この場合の製氷水供給開始時間は、除氷完了に要する時間より短かく設定される。またタイマを用いる場合の除氷完了検知手段としては、温度センサ(除氷用サーモ)や除氷完了時間を計時するタイマを用いることができる。
【００３６】
製氷部の構成は、実施例１および２に限定されるものでなく、一枚の製氷板の裏面に蒸発管が蛇行配置されるものであってもよく、また製氷板は傾めに配置されているものであってもよい。更に、除氷完了検知手段として除氷用サーモを用いる場合に、該サーモにより温度検知する対象は、ホットガスに限定されるものでなく、除氷運転の完了により温度変化する製氷板自体の温度を検知するものであってもよい。
【図面の簡単な説明】
【００３７】
【図１】実施例１に係る流下式製氷機を示す概略構成図である。
【図２】実施例１に係る流下式製氷機の運転方法を示したフローチャート図である。
【図３】実施例１に係る流下式製氷機の運転サイクルを示すタイミングチャート図である。
【図４】実施例２に係る流下式製氷機の運転方法を示したフローチャート図である。
【図５】実施例２に係る流下式製氷機の運転サイクルを示すタイミングチャート図である。
【図６】従来の流下式製氷機の運転サイクルを示すタイミングチャート図である。
【符号の説明】
【００３８】
１２ 製氷板，１４ 蒸発管(蒸発器)，１６ 氷，２４ 製氷水，２８ 裏面
３０ 除氷水，３２ 製氷面(表面)，４０ 循環ポンプ(製氷水供給手段)
４４ 制御手段，４６ 給水バルブ(除氷水供給手段)
５２ 除氷用サーモ(除氷完了検知手段，製氷水供給開始検知手段)
【図１】
2006090691.tif 000003
【図２】
2006090691.tif 000004
【図３】
2006090691.tif 000005
【図４】
2006090691.tif 000006
【図５】
2006090691.tif 000007
【図６】
2006090691.tif 000008